(57)【特許請求の範囲】
【請求項１】
移動局（120）を含むＧＳＭネットワーク（100）における１つの上りリンク・パケットデータチャネルを、９個以上の移動局によって共有することを可能にするための、前記移動局（120）における方法であって、
‐複数のレガシー上りリンク状態フラグ値から成る結合を、２個以上の下りリンク無線ブロックから成るセットで受信するステップ（705;1401）と、
‐前記結合に含まれる、前記受信された複数のレガシー上りリンク状態フラグ値を一緒に解釈するステップ（706;1402）と、
‐レガシー上りリンク状態フラグ値の、前記移動局（120）に割り当てられている結合が受信された場合にのみ、パケットデータを送信するステップ（707;1403）と、
を含むことを特徴とする方法。
【請求項２】
下りリンク無線ブロックの前記セットは、予め定義されていることを特徴とする請求項１に記載の方法。
【請求項３】
下りリンク無線ブロックの前記セットは、
同一の２０ミリ秒無線ブロック期間中の時分割多元接続フレームにおける、異なる複数のタイムスロットの２個以上のパケットデータチャネルと、
同一のパケットデータチャネルの２個以上の連続する無線ブロックと、
のうちの１つまたは組み合わせで受信されており、
前記パケットデータは、対応する複数の上りリンク無線ブロックの全てまたはサブセットのみで送信される
ことを特徴とする請求項１または２に記載の方法。
【請求項４】
前記移動局（120）には、レガシー上りリンク状態フラグ値の、２個以上の結合が割り当てられており、それにより、対応する複数の上りリンク無線ブロックについての異なる複数のサブセットでの送信が前記移動局（120）に許可される
ことを特徴とする請求項１から３のいずれか１項に記載の方法。
【請求項５】
移動局（120）を含むＧＳＭネットワーク（100）における１つの上りリンク・パケットデータチャネルを、９個以上の移動局によって共有することを可能にするための、前記ＧＳＭネットワーク（100）における方法であって、
‐前記移動局（120）によって一緒に解釈されるべき複数のレガシー上りリンク状態フラグ値から成る結合を、２個以上の下りリンク無線ブロックから成るセットで前記移動局（120）に送信するステップ（705;1602）と、
‐前記移動局（120）が、前記結合に含まれる、前記送信された複数のレガシー上りリンク状態フラグ値を受信して一緒に解釈し、かつ、レガシー上りリンク状態フラグ値の、前記移動局（120）に割り当てられた結合が受信された場合にのみパケットデータを送信したことに応じて、前記移動局（120）から前記パケットデータを受信するステップ（707;1603）と
を含むことを特徴とする方法。
【請求項６】
下りリンク無線ブロックの前記セットは、予め定義されていることを特徴とする請求項５に記載の方法。
【請求項７】
下りリンク無線ブロックの前記セットは、
同一の２０ミリ秒無線ブロック期間中の時分割多元接続フレームにおける、異なる複数のタイムスロットの２個以上のパケットデータチャネルと、
同一のパケットデータチャネルの２個以上の連続する無線ブロックと、
のうちの１つまたは組み合わせで、前記移動局（120）に対して送信されており、
前記パケットデータは、対応する複数の上りリンク無線ブロックの全てまたはサブセットのみで受信される
ことを特徴とする請求項５または６に記載の方法。
【請求項８】
レガシー上りリンク状態フラグ値の、割り当てられた２個以上の結合が前記移動局（120）に送信されており、それにより、対応する複数の上りリンク無線ブロックについての異なる複数のサブセットでの送信が前記移動局（120）に許可される
ことを特徴とする請求項５から７のいずれか１項に記載の方法。
【請求項９】
‐結合された複数のレガシー上りリンク状態フラグ値のジョイント解釈をサポートしていない移動局（121-1,121-2）に対しても複数のレガシー上りリンク状態フラグ値から成る結合が割り当てられるよう、結合された複数のレガシー上りリンク状態フラグ値のジョイント解釈をサポートしていない当該移動局（121-1,121-2）に対する複数のレガシー上りリンク状態フラグ値の割り当てを、結合された複数のレガシー上りリンク状態フラグ値のジョイント解釈をサポートしている移動局（120-1,120-2）と調整するステップ（702;1601）
を更に含むことを特徴とする請求項５から８のいずれか１項に記載の方法。
【請求項１０】
移動局（120）を含むＧＳＭネットワーク（100）における１つの上りリンク・パケットデータチャネルを、９個以上の移動局によって共有することを可能にするための、前記移動局（120）であって、
複数のレガシー上りリンク状態フラグ値から成る結合を、２個以上の下りリンク無線ブロックから成るセットで受信し、
前記結合に含まれる、前記受信された複数のレガシー上りリンク状態フラグ値を一緒に解釈し、
レガシー上りリンク状態フラグ値の、前記移動局（120）に割り当てられている結合が受信された場合にのみ、パケットデータを送信する
よう構成されていることを特徴とする移動局。
【請求項１１】
下りリンク無線ブロックの前記セットは、予め定義されていることを特徴とする請求項１０に記載の移動局。
【請求項１２】
前記移動局（120）は、
同一の２０ミリ秒無線ブロック期間中の時分割多元接続フレームにおける、異なる複数のタイムスロットの２個以上のパケットデータチャネルと、
同一のパケットデータチャネルの２個以上の連続する無線ブロックと、
のうちの１つまたは組み合わせで、下りリンク無線ブロックの前記セットを受信するよう、更に構成されており、
前記移動局（120）は、対応する複数の上りリンク無線ブロックの全てまたはサブセットのみで、前記パケットデータを送信するよう、更に構成されている
ことを特徴とする請求項１０または１１に記載の移動局。
【請求項１３】
前記移動局（120）には、レガシー上りリンク状態フラグ値の、２個以上の結合が割り当てられており、それにより、対応する複数の上りリンク無線ブロックについての異なる複数のサブセットでの送信が前記移動局（120）に許可される
ことを特徴とする請求項１０から１２のいずれか１項に記載の移動局。
【請求項１４】
基地局（110）及び移動局（120）を含むＧＳＭネットワーク（100）における１つの上りリンク・パケットデータチャネルを、９個以上の移動局によって共有することを可能にするための、前記基地局（110）であって、
‐前記移動局（120）によって一緒に解釈されるべき複数のレガシー上りリンク状態フラグ値から成る結合を、２個以上の下りリンク無線ブロックから成るセットで前記移動局（120）に送信し、
‐前記移動局（120）が、前記結合に含まれる、前記送信された複数のレガシー上りリンク状態フラグ値を受信して一緒に解釈し、かつ、レガシー上りリンク状態フラグ値の、前記移動局（120）に割り当てられた結合が受信された場合にのみパケットデータを送信したことに応じて、前記移動局（120）から前記パケットデータを受信する
よう構成されていることを特徴とする基地局。
【請求項１５】
下りリンク無線ブロックの前記セットは、予め定義されていることを特徴とする請求項１４に記載の基地局。
【請求項１６】
前記基地局（110）は、
同一の２０ミリ秒無線ブロック期間中の時分割多元接続フレームにおける、異なる複数のタイムスロットの２個以上のパケットデータチャネルと、
同一のパケットデータチャネルの２個以上の連続する無線ブロックと、
のうちの１つまたは組み合わせで、下りリンク無線ブロックの前記セットを前記移動局（120）に対して送信するよう、更に構成されており、
前記基地局（110）は、対応する複数の上りリンク無線ブロックの全てまたはサブセットのみで、前記パケットデータを受信するよう、更に構成されている
ことを特徴とする請求項１４または１５に記載の基地局。
【請求項１７】
前記基地局（110）は、レガシー上りリンク状態フラグ値の、割り当てられた２個以上の結合を前記移動局（120）に送信するよう、更に構成されており、それにより、対応する複数の上りリンク無線ブロックについての異なる複数のサブセットでの送信が前記移動局（120）に許可される
ことを特徴とする請求項１４から１６のいずれか１項に記載の基地局。
【請求項１８】
前記基地局（110）は、
結合された複数のレガシー上りリンク状態フラグ値のジョイント解釈をサポートしていない移動局（121-1,121-2）に対しても複数のレガシー上りリンク状態フラグ値から成る結合が割り当てられるよう、結合された複数のレガシー上りリンク状態フラグ値のジョイント解釈をサポートしていない当該移動局（121-1,121-2）に対する複数のレガシー上りリンク状態フラグ値の割り当てを、結合された複数のレガシー上りリンク状態フラグ値のジョイント解釈をサポートしている移動局（120;120-1,120-2）と調整するよう、更に構成されていることを特徴とする請求項１４から１７のいずれか１項に記載の基地局。
【発明の詳細な説明】
【技術分野】
【０００１】
本明細書の実施形態は、移動局における方法、ＧＳＭ（登録商標）ネットワークにおける方法、移動局、ＧＳＭネットワークに関するものである。特に、本明細書の実施形態は、ＧＳＭネットワークにおける、上りリンク・パケットデータチャネル（ＰＤＣＨ）の共有に関するものである。
【背景技術】
【０００２】
移動局（ＭＳ）のような通信装置が、移動端末、無線端末及びユーザ装置の少なくともいずれかとしても知られている。移動局は、何らかの例に言及するために、場合によってはセルラ無線システム、セルラネットワークまたは無線アクセスネットワーク（ＲＡＮ）とも称される、セルラ通信ネットワーク、無線通信システムまたは無線通信システムにおいて無線で通信が可能である。当該通信は、例えば２つの移動局間で、及び移動局と通常の電話との間で実行できる。
【０００３】
移動局は、何らかの更なる例に言及するために、携帯電話、セルラ電話、ラップトップ、パーソナル・デジタル・アシスト（ＰＤＡ）、タブレットコンピュータ、サーフ・プレート（surf plate）、とも更に称されうる。本明細書における移動局は、例えば、音声及びデータの少なくともいずれかを、ＲＡＮを介して、他の移動局またはサーバといった他のエンティティとやりとりできる、携帯可能、ポケット収納可能、ハンドヘルド型、コンピュータ収納型、または車載型のモバイルデバイスであってもよい。
【０００４】
セルラ通信ネットワークは、複数のセルエリアに分割された地理的エリアをカバーし、各セルエリアは、基地局（ＢＳ：Base Station）によってサービングされ、基地局は、単にいくつかの例に言及するために、場合によっては無線基地局（ＲＢＳ：Radio Base Station）、ベース送受信局（ＢＴＳ：Base Transceiver Station）とも称されうる。基地局は、送信電力及びそれによるセルサイズに基づいて、異なる複数のクラスを有しうる。セルは、基地局サイトにおける基地局によって無線カバレッジが提供される地理的エリアである。更に、各基地局は、１つ以上の通信技術をサポートしうる。基地局は、無線周波数で動作している無線インタフェースを通じて、当該基地局の範囲内にある移動局と通信する。
【０００５】
無線ネットワーク制御装置、例えば、ＧＳＭの基地局制御装置（ＢＳＣ：Base Station Controller）には、複数の基地局が、例えば地上の通信線またはマイクロ波で接続されうる。ＧＳＭは、モバイル通信用グローバルシステム（Global System for Mobile Communications）（当初は、グループ・スペシャル・モバイル（Groupe Special Mobile））の略語である。ＢＳＣは、ＢＳＣに接続されている複数の基地局の種々の活動を管理及び調整しうる。
【０００６】
何も表示がない場合、下りリンク（ＤＬ）という表現は、通常、基地局から移動局への伝送を指し、上りリンク（ＵＬ）という表現は、逆方向の（即ち、移動局から基地局の）伝送を指す。
【０００７】
汎用パケット無線サービス（ＧＰＲＳ：General Packet Radio Service）、拡張ＧＰＲＳ（ＥＧＰＲＳ：Enhanced GPRS）及びＥＧＰＲＳ フェーズ２（ＥＧＰＲＳ２：EGPRS phase 2）では、ＧＳＭ無線アクセスネットワークのパケットデータ・ベアラ、即ち、複数のユーザ用のデータ接続は、パケットデータ共有チャネル（ＰＤＣＨ）とも称される共有チャネルに対して多重化される。ＰＤＣＨは、無線インタフェースにおける時分割多元接続（ＴＤＭＡ）フレームごとに１つのタイムスロットを使用する物理チャネルである。（４つの連続するＴＤＭＡフレームで送信される）ＰＤＣＨにおける４つの連続するタイムスロットは、無線ブロックを形成する。当該無線ブロックは、ＧＰＲＳ／ＥＧＰＲＳ／ＥＧＰＲＳ２のための送受信用に使用可能な最小のエンティティである。下りリンクでは、各無線ブロックは、特定のＭＳに対してアドレス指定される。同様に、上りリンクでは、特定の移動局は、所与の無線ブロックの期間内で送信することを許可される。無線ブロックの期間は、約２０ｍｓである。
【０００８】
ＧＰＲＳ／ＥＧＰＲＳ／ＥＧＰＲＳ２のＴＤＭＡフレームは、８個のタイムスロットを有する。従って、最大８個のＰＤＣＨが、１つのＧＳＭ搬送波で並列に送信されうる。ＰＤＣＨごとに１つの、即ち、０〜７の番号が付された８個のＴＤＭＡフレーム・タイムスロットのそれぞれについて１つの無線ブロックが、図１に概略的に示されている。このため、図１の横軸に沿った単位は、ＴＤＭＡフレーム・タイムスロットであり、また、縦軸に沿った単位は、無線ブロック期間である。マルチスロット能力（multislot capability）を有する移動局は、複数のＰＤＣＨを並列に送信してもよいし、受信してもよいし、その両方を行ってもよい。
【０００９】
複数の移動局の上りリンクへの多重化は、ネットワークによって以下のように制御される。各下りリンク無線ブロックでは、移動局アドレス・フィールドが送信される。これは、上りリンク状態フラグ（ＵＳＦ：Uplink State Flag）として知られている。所与のＰＤＣＨについて、各ＭＳは、所与の固有のＵＳＦ値が与えられている。割り当てられている当該ＵＳＦ値が移動局によって下りリンクＰＤＣＨで受信されると、対応する上りリンクＰＤＣＨにおける、次の無線ブロックの期間中の送信が許可される。ＵＳＦ粒度（granularity）が使用される（ＰＤＣＨが割り当てられた際にＭＳにシグナリングされる）場合には、移動局は、同一のＰＤＣＨにおける３つのその後の無線ブロックの期間中（即ち、全部で４つの無線ブロック期間中）の送信も許可される。
【００１０】
この多重化方法は、動的割り当て（ＤＡ）と称され、図２及び図３の例によって示されている。
【００１１】
例えば、図２では、移動局ＭＳ ＸにはＵＳＦ値１が割り当てられている。このＵＳＦ値は、無線ブロック期間Ｎの期間中に下りリンク・タイムスロット２で送信されるとともに、次の無線ブロック期間Ｎ＋１の期間中の、対応する上りリンク・タイムスロットでの無線ブロックの送信を、ＭＳ Ｘに許可する。図２における横軸及び縦軸に沿った単位は、図１に関連して上記で示し、かつ議論したものと対応している。移動局ＭＳ ＹにはＵＳＦ値２が割り当てられている。このＵＳＦ値は、タイムスロット３で送信されるとともに、上りリンク・タイムスロット３での無線ブロックの送信をＭＳ Ｙに許可する。図３では、ＭＳ ＸにはＵＳＦ値１が割り当てられている。このＵＳＦ値は、下りリンク・タイムスロット２で送信されるとともに、対応する上りリンク・タイムスロットでの４つの連続する無線ブロックでの送信をＭＳ Ｘに許可する。ＭＳ ＹにはＵＳＦ値２が割り当てられている。このＵＳＦ値は、タイムスロット３で送信されるとともに、上りリンク・タイムスロット３での４つの連続する無線ブロックの送信をＭＳ Ｙに許可する。
【００１２】
場合によっては、拡張動的割り当て（ＥＤＡ：Extended Dynamic Allocation）と称される、この多重化方法の拡張版を使用する必要がある。これは、ＤＡと似ており、割り当てられたＵＳＦ値をＭＳが所与のＰＤＣＨで受信する際に、対応する上りリンクＰＤＣＨだけでなく、ＴＤＭＡフレームにおいてより大きなタイムスロット番号を割り当てられている全ての上りリンクＰＤＣＨでの送信が許可されるという違いがある。ＵＳＦ粒度は、ＥＤＡとともにも使用されうる。例えば、図４では、移動局ＭＳ Ｘには、ＵＳＦ値１及び上りリンク・タイムスロット２、３及び４が割り当てられている。このＵＳＦ値は、下りリンク・タイムスロット２で送信されるとともに、上りリンク・タイムスロット２、３及び４のそれぞれにおける無線ブロックの送信を、ＭＳ Ｘに許可する。
【００１３】
3GPP TS 44.060「RLC/MAC protocol」及び3GPP TS 45.002「Multiplexing and multiple access on the radio path」には、既存のソリューションがより詳細に説明されており、3GPP TS 44.060では、多重化の原理が5.2節で、ＤＡ及びＥＤＡが8.1.1節で説明されており、3GPP TS 45.002では、6.3.2.2.1節で、ＤＡ及びＥＤＡがある程度説明されている。
【００１４】
ＵＳＦは、３ビット・フィールドであり、それ故に、ＰＤＣＨごとに８個の固有の移動局をアドレス指定可能である。
【００１５】
ユーザの数、即ち、インターネットアクセスを備えるデバイスの数の増加に伴い、また、「５００億」ユーザのビジョンを実現するためには、多数の移動局を各ＰＤＣＨに多重することが望まれるか、または必要でさえある。しかし、ＵＳＦは８個の固有の移動局のみしかアドレス指定できないため、９個以上の移動局が１つの上りリンクＰＤＣＨを共有することはできない。
【発明の概要】
【００１６】
従って、本明細書における実施形態の目的は、９個以上の移動局によって１つの上りリンク・パケットデータチャネル（ＰＤＣＨ）を共有できるようにすることである。
【００１７】
本明細書の実施形態の第１の態様によれば、本目的は、ＧＳＭネットワークにおける１つの上りリンク・パケットデータチャネルを、９個以上の移動局によって共有することを可能にするための、移動局における方法によって達成される。ＧＳＭネットワークは、移動局を含む。移動局は、複数の上りリンク状態フラグ値から成る結合を、２個以上の下りリンク無線ブロックから成るセットで受信する。移動局は、次に、結合に含まれる、受信された複数の上りリンク状態フラグ値を一緒に解釈し、上りリンク状態フラグ値の、割り当てられている結合が受信された場合にのみ、パケットデータを送信する。
【００１８】
本明細書の実施形態の第２の態様によれば、本目的は、ＧＳＭネットワークにおける１つの上りリンク・パケットデータチャネルを、９個以上の移動局によって共有することを可能にするための、ＧＳＭネットワークにおける方法によって達成される。ＧＳＭネットワークは、移動局を含む。ＧＳＭネットワークは、移動局によって一緒に解釈されるべき複数の上りリンク状態フラグ値から成る結合を、２個以上の下りリンク無線ブロックから成るセットで当該移動局に送信する。ＧＳＭネットワークは、次に、移動局が、結合に含まれる、送信された複数の上りリンク状態フラグ値を受信して一緒に解釈し、かつ、上りリンク状態フラグ値の、割り当てられた結合が受信された場合にのみパケットデータを送信したことに応じて、当該移動局から当該パケットデータを受信する。
【００１９】
本明細書の実施形態の第３の態様によれば、本目的は、ＧＳＭネットワークにおける１つの上りリンク・パケットデータチャネルを、９個以上の移動局によって共有することを可能にするための、当該移動局によって達成される。ＧＳＭネットワークは、移動局を含む。移動局は、複数の上りリンク状態フラグ値から成る結合を、２個以上の下りリンク無線ブロックから成るセットで受信するよう構成される。移動局は、結合に含まれる、受信された複数の上りリンク状態フラグ値を一緒に解釈し、上りリンク状態フラグ値の、割り当てられている結合が受信された場合にのみ、パケットデータを送信するよう更に構成される。
【００２０】
本明細書の実施形態の第４の態様によれば、本目的は、ＧＳＭネットワークにおける１つの上りリンク・パケットデータチャネルを、９個以上の移動局によって共有することを可能にするための、当該ＧＳＭネットワークによって達成される。ＧＳＭネットワークは、基地局を含む。ＧＳＭネットワークは、移動局によって一緒に解釈されるべき複数の上りリンク状態フラグ値から成る結合を、２個以上の下りリンク無線ブロックから成るセットで移動局に送信するよう構成される。ＧＳＭネットワークは、移動局が、結合に含まれる、送信された複数の上りリンク状態フラグ値を受信して一緒に解釈し、かつ、上りリンク状態フラグ値の、割り当てられた結合が受信された場合にのみパケットデータを送信したことに応じて、移動局から当該パケットデータを受信するよう更に構成される。
【００２１】
背景で説明したように、ＧＳＭは従来、上りリンク状態フラグ（ＵＳＦ）値ごとに３ビットを提供し、即ち、８個の固有の値を取りうるとともに、その結果として、従来は、最大８個の固有の移動局のみが、ＧＳＭのＴＤＭＡフレーム内の（従来、利用可能であった８個のうちの）１つのタイムスロットを使用して１つのＰＤＣＨを共有可能であった。本明細書の実施形態によれば、その代わりに、２個以上の下りリンク無線ブロックから成るセットで受信される、複数のＵＳＦ値から成る結合によって、少なくとも３＋３ビットがジョイント解釈に利用可能であり、それにより、最大６４個の固有の移動局が、対応する複数の上りリンク無線ブロックと、そのような無線ブロックのそれぞれに関連付けられたそれぞれの上りリンクＰＤＣＨとを共有しうる。対応する複数の上りリンク無線ブロックのサブセットのみが使用される場合には、当該上りリンク無線ブロック間で共有を更に分割でき、その結果、更に多くの移動局が１つの上りリンクＰＤＣＨを共有しうる。
【００２２】
このようにして、本明細書の実施形態は、上りリンクＰＤＣＨの共有を拡張するとともに、９個以上の移動局によって１つのＰＤＣＨを共有することを可能にする。
【図面の簡単な説明】
【００２３】
本明細書の実施形態の例について、添付の概略的な図面を参照してより詳細に説明する。
【００２４】
【図１】ＰＤＣＨ、ＴＤＭＡフレーム・タイムスロット及び無線ブロックの関係を示す図。
【図２】動的割り当て多重を示す図。
【図３】ＵＳＦ粒度を用いた動的割り当て多重を示す図。
【図４】拡張動的割り当てを示す図。
【図５】ＧＳＭネットワークを示す概略的なブロック図。
【図６】ＧＳＭネットワークにおける１つのセル内に複数の移動局を有するＧＳＭネットワークを示す概略的なブロック図。
【図７】ＧＳＭネットワークの実施形態を示す概略的なブロック図。
【図８】ジョイント解釈用のＵＳＦ値の結合（Ｅ−ＵＳＦ）と、従来の単一のＵＳＦ値との両方を含む、ＵＳＦ値の割り当て及び解釈テーブルの一例を示す図。
【図９】並列のタイムスロットにおけるＵＳＦ値の結合（Ｅ−ＵＳＦ）を用いる動的割り当てを示す図。
【図１０】並列のタイムスロットにおけるＵＳＦ値の結合（Ｅ−ＵＳＦ）を用いる拡張動的割り当てを示す図。
【図１１】並列のタイムスロットにおけるＵＳＦ値の結合（Ｅ−ＵＳＦ）を用いる拡張動的割り当ての、代替的な実施を示す図。
【図１２】連続する無線ブロックにおけるＵＳＦ値の結合（Ｅ−ＵＳＦ）を用いる動的割り当てを示す図。
【図１３】ジョイント解釈用のＵＳＦ値の結合（Ｅ−ＵＳＦ）と従来の単一のＵＳＦ値とについてのＵＳＦスケジューリング遅延を示す図。
【図１４】移動局における方法の実施形態を示すフローチャート。
【図１５】移動局の実施形態を示す概略的なブロック図。
【図１６】ＧＳＭネットワークにおける方法の実施形態を示す方法。
【図１７】ＧＳＭネットワークの基地局の実施形態を示す概略的なブロック図。
【図１８】Ｅ−ＵＳＦ能力シグナリング用の「MS Radio Access Capability information element（ＭＳ無線アクセス能力情報エレメント）」に対する変更の一例を示す図。
【図１９】Ｅ−ＵＳＦ能力シグナリング用の「EPGR Packet Channel Request（ＥＰＧＲパケットチャネル要求）」メッセージに対する変更の一例を示す図。
【図２０】割り当てられたＥ−ＵＳＦについて知らせるための、3GPP TS 44.018の「Packet Uplink Assignment（パケット上りリンク割り当て）」メッセージに対する変更の一例を示す図。
【発明を実施するための形態】
【００２５】
図５は、ＧＳＭネットワーク１００の一例を概略的に示しており、ＧＳＭネットワーク１００は、ＧＳＭ無線アクセスネットワークとも称されうるセルラ無線通信ネットワークである。図示されているＧＳＭネットワーク１００は、セル１１５に対してサービングする基地局１１０を備える。基地局によってセルをサービングするとは、ここでは、下りリンクデータをセル内の移動局に無線で送信する能力、及びセル内で無線通信を介して上りリンクデータを受信する能力の少なくともいずれかを指す。図示されているＧＳＭネットワーク１００は、セル１１５内に位置している移動局１２０を更に備える。
【００２６】
図５は概略にすぎないこと、並びに、実際のＧＳＭネットワーク１００は、図５には示されていない、更なる基地局、移動局、及び基地局制御装置（ＢＳＣ）を含む他のネットワークノードを備えていてもよいことを、理解されたい。
【００２７】
移動局１２０は、セル１１５内の移動局１２０にサービングする基地局を介してＧＳＭネットワーク１００に接続されていること、及び、基地局１１０は、典型的にはＧＳＭネットワーク１００内の他の基地局も制御する基地局制御装置（ＢＳＣ）（図示せず）によって少なくとも部分的に制御されることを更に理解されたい。
【００２８】
本明細書の実施形態の一態様は、ＧＳＭネットワーク１００において９個以上の移動局によって上りリンク・パケットデータチャネル（ＰＤＣＨ）を共有するための、移動局１２０における方法である。ＧＳＭネットワーク１００は、移動局を備える。移動局１２０は、２個以上の下りリンク無線ブロックから成るセットで、複数の上りリンク状態フラグ（ＵＳＦ）値から成る結合（combination）を受信する。それにより、移動局１２０は、受信した結合に含まれる複数のＵＳＦ値を一緒に解釈する（jointly interpret）とともに、ＵＳＦ値の割り当てられた結合が受信された場合にのみ、パケットデータを送信する。
【００２９】
パケットデータ共有チャネル（ＰＤＣＨ）、上りリンク状態フラグ（ＵＳＦ）及び無線ブロックは、当然、ＧＳＭの知識がある者によって十分に認識され、かつ、ＧＳＭの知識がある者に対して明確かつ簡潔な意味を有しており、具体的には、汎用パケット無線サービス（ＧＰＲＳ）、拡張ＧＰＲＳ（ＥＧＰＲＳ）及びＥＧＰＲＳ フェーズ２（ＥＧＰＲＳ２）を含む、ＧＳＭのパケットデータ・ベアラである。例えば、ＰＤＣＨは、無線インタフェースで、各時分割多元接続（ＴＤＭＡ）フレームにおいて１つのタイムスロットを使用する物理チャネルを指す。このため、ＰＤＣＨは、ＴＤＭＡタイムスロットに対応する。無線ブロックは、ＰＤＣＨの４つの連続するタイムスロットで形成され、４つの連続するＴＤＭＡフレームで送信される、
【００３０】
背景で説明したように、従来、ＧＳＭは、上りリンク状態フラグ（ＵＳＦ）値ごとに３ビットを提供する、即ち、即ち８個の固有の値を取り得ることで、従来は、最大８個の固有の移動局のみがＧＳＭのＴＤＭＡフレーム内の（従来より利用可能である８個のうちの）１つのタイムスロットを使用して１つのＰＤＣＨを共有可能であった。本明細書の実施形態によれば、その代わりに、２個以上の下りリンク無線ブロックから成るセットで受信される、複数のＵＳＦ値から成る結合によって、少なくとも３＋３ビットがジョイント解釈（joint interpretation）に利用可能であり、それにより、最大６４個の固有の移動局が、対応する複数の上りリンク無線ブロックと、そのような無線ブロックのそれぞれに関連付けられたそれぞれの上りリンクＰＤＣＨとを共有しうる。対応する複数の上りリンク無線ブロックのサブセットのみが使用される場合には、当該上りリンク無線ブロック間で共有を更に分割でき、その結果、更に多くの移動局が１つの上りリンクＰＤＣＨを共有しうる。
【００３１】
明らかにする例：２個のＵＳＦ値が２個の連続する下りリンク無線ブロックのＰＤＣＨで送信される。６ビットＵＳＦ値・結合についてのジョイント解釈によって、ＰＤＣＨをリッスンする（listening to）個別の移動局にそれぞれの値を割り当て可能な、６４個の固有の値を実現できる。これにより、対応する２個の上りリンク無線ブロックでパケットデータが送信される際に、６４個の異なる移動局が同一のＰＤＣＨを共有できる。しかし、６４個の固有の値のうちの１つを割り当てられた移動局は、１つのサブセットで、即ち、ここでは対応する２個の上りリンク無線ブロックのうちの１つで送信しうるとともに、当該６４個の固有の値のうちの同一の１つを割り当てられた別の移動局は、当該対応する２個の上りリンク無線ブロックのうちのもう１つを送信しうる。その結果、１２８個の異なる移動局が１つの上りリンクＰＤＣＨを共有可能になる。
【００３２】
このようにして、本明細書の実施形態は、上りリンクＰＤＣＨの共有を拡張するとともに、９個以上の移動局によって１つのＰＤＣＨを共有することを可能にする。
【００３３】
図６は、セル１１５内に位置する複数の移動局１２０−１〜１２０−６，１２１−１，１２１−２が存在する状況における、ＧＳＭネットワーク１００の別の例を概略的に描いている。ＭＳ ＮＳと表記されている、いくつかの移動局１２０−１〜１２０−６は、本明細書の実施形態に係る移動局、即ち、以下では結合ＵＳＦ（coupled USF）または拡張ＵＳＦ（Ｅ−ＵＳＦ：Extended USF）とも称される、複数のＵＳＦ値から成る結合のジョイント解釈をサポートする移動局である。当該移動局は、ＧＳＭネットワーク及びセル１１５において、レガシー移動局を指す、ＭＳ ＬＳと表記される移動局１２１−１，１２１−２と、共存しうるとともに、同時に使用されうる。以下では図６に示す移動局に戻すこととする。
【００３４】
レガシー移動局によって、本明細書の実施形態に係る移動局と異なりＵＳＦ値の結合のジョイント解釈をサポートしていない従来の移動局を、ここでは示す。
【００３５】
本明細書の実施形態による他の利点は、１２１−１，１２１−２のようなレガシー移動局に下位互換性を実現することであり、その結果、当該移動局は、本明細書の実施形態に係る移動局と、共存しうるとともにＰＤＣＨを共有しうる。
【００３６】
本明細書の実施形態の基本概念は、２個（以上）の下りリンク無線ブロックで送信された複数のＵＳＦを結合する（即ち、一緒に解釈する）ことであり、各移動局には、ＵＳＦ値の結合が与えられ、各移動局は、複数の下りリンク無線ブロックから成る所定のセットで、当該ＵＳＦ結合（USF combination）を受信した場合にのみ、送信が許可される。
【００３７】
いくつかの実施形態では、無線ブロックの所定のセットは、同一の２０ｍｓの無線ブロック期間における２個（以上）の並列のＰＤＣＨ（即ち、ＴＤＭＡフレーム内の異なる複数のタイムスロットのＰＤＣＨ）で受信されうるか、あるいは、同一のＰＤＣＨの２個（以上）の連続する無線ブロックで受信されうる。
【００３８】
いくつかの実施形態では、無線ブロックの所定のセットは、並列のＰＤＣＨと連続する無線ブロックとの組み合わせで受信される。
【００３９】
本明細書中のいくつかの実施形態では、移動局１２０は、対応する上りリンク無線ブロックのサブセットの全てまたは当該サブセットのみで送信が許可される。より多くのＵＳＦ結合を同一の移動局に割り当てることが可能であり、それにより、移動局は、対応する上りリンク無線ブロックの異なる複数のサブセットで送信可能になる（例えば、２個のＵＳＦが結合された場合、３つの異なるＵＳＦ結合によって、対応する上りリンク無線ブロックの、第１の無線ブロック、第２の無線ブロック及びその両方で、それぞれ送信許可を与えることが可能である）。
【００４０】
レガシー方式のみをサポートする移動局との多重化を実現するとともに、上りリンクにおける衝突を避けるために、レガシー移動局へのＵＳＦの割り当てと、本明細書の実施形態に係る移動局へのＵＳＦ結合の割り当てとは、複数のＵＳＦ値を含むＵＳＦ結合がレガシー移動局にも割り当てられるように、調整されうる。
【００４１】
本明細書の実施形態にあるような、ジョイント解釈用のＵＳＦ値の結合とも称される結合ＵＳＦ、または拡張ＵＳＦ（Ｅ−ＵＳＦ）による１つの利点は、より多くのＧＰＲＳ／ＥＧＰＲＳ／ＥＧＰＲＳ２移動局を、同一の上りリンク・タイムスロットに多重化できることである。別の利点は、後方互換性、即ち、結合ＵＳＦをサポートしている移動局とサポートしていない移動局とを、同一のタイムスロットに多重化できることである。
【００４２】
以下では、９個以上の移動局によってＧＳＭネットワークにおける１つの上りリンク・パケットデータチャネルを共有できるようにする、本明細書の実施形態について、図７に図示されているシグナリング図とフローチャートとの組み合わせを参照して更に詳しく説明する。
【００４３】
動作７０１
移動局１２０は、その能力情報をＧＳＭネットワーク１００に送信する。これは、ＧＳＭネットワーク１００が、以下では結合ＵＳＦまたは拡張ＵＳＦ（Ｅ−ＵＳＦ）と称されうる、ＵＳＦ値の結合のジョイント解釈をサポートしている、移動局１２０のような移動局を識別することを可能し、また、それに応じてＰＤＣＨを割り当てることを可能にするためである。
【００４４】
ＧＳＭネットワーク１００内のあらゆる移動局がＥ−ＵＳＦをサポートしており、かつ、ＧＳＭネットワーク１００がそれを知っている場合、本動作は、理由が少ないかまたは理由さえないものの、ＧＳＭネットワーク１００によってレガシー移動局が同時にサポートされるものとすることが望ましい場合には、本動作のような能力シグナリングによって、いずれの移動局がＥ−ＵＳＦをサポートしており、また、その結果として、いずれの移動局がサポートしていないのかを識別することが可能になる。このため、以下で更に説明するように、ＧＳＭネットワークは、その結果として、上りリンク無線ブロック及びＵＳＦ値の割り当てを含む、それらの移動局の処理を行うことが可能である。
【００４５】
したがって、移動局１２０にＥ−ＵＳＦを割り当てるために、ＧＳＭネットワーク１００は、この特徴が実際に移動局１２０によってサポートされていることを知っていなければならない。これは、例えば、3GPP TS 24.008、10.5.5.12a節による「MS Radio Access capability Information Element（ＭＳ無線アクセス能力情報エレメント）」に新たなＥ−ＵＳＦ能力指標（capability indication）を追加することによって、達成できる。この点に関するより詳細な例は、本明細書の最後にある、以下の「詳細例１」で与えられる。
【００４６】
移動局１２０は、そのＥ−ＵＳＦ能力を、アクセス手順において、即ち、上りリンク用の無線リソースを要求する際に、ＧＳＭネットワーク１００に知らせている。
【００４７】
これは、２フェーズ・アクセス手順（3GPP TS 44.018、3.5.2節を参照）の間には、例えば、ＧＳＭネットワーク１００が、移動局Ｅ−ＵＳＦ能力情報を、上述のような「MS Radio Access Capability Information Element（ＭＳ無線アクセス能力情報エレメント）」を含む「ADDITIONAL MS RADIO ACCESS CAPABILITIES」メッセージから取得することによって達成されうる。これは、１フェーズ・アクセス手順（3GPP TS 44.018、3.5.2節を参照）の間には、例えば、移動局１２０が以下のアプローチのうちの１つ以上を使用することによってＥ−ＵＳＦのサポートを知らせることによって達成されうる。
・3GPP TS 44.060、11.2.5a節の「EGPRS PACKET CHANNEL REQUEST」メッセージ用の、新たなバースト・フォーマットの使用
・3GPP TS 44.060、11.2.5a節の「EGPRS PACKET CHANNEL REQUEST」メッセージの送信における、新たなトレーニング系列の使用
・3GPP TS 44.060、11.2.5a節の「EGPRS PACKET CHANNEL REQUEST」メッセージの内容の変更。これをどのように行うのかについてのより詳細な例は、本明細書の最後にある、以下の「詳細例２」で与えられる。
【００４８】
動作７０２
ＧＳＭネットワーク１００、典型的にはＢＳＣは、（複数の）無線ブロック・セットを移動局１２０に割り当てるとともに、ＵＳＦ値の（複数の）結合を移動局１２０に割り当てる。それに応じて、基地局１１０のセル内の、上りリンク・パケットデータ送信用のリソースをリクエストした他の移動局に対してこれが実行されてもよい。上述の動作から、ＧＳＭネットワーク１００は、移動局１２０を含む、それらの移動局のいずれがＥ−ＵＳＦをサポートしているかの情報を有しており、それ故に、いずれの移動局がＥ−ＵＳＦをサポートしていないか（レガシー移動局）も知っている。このため、ＧＳＭネットワーク１００は、移動局１２０及びＥ−ＵＳＦをサポートしている移動局へのＵＳＦ値の結合または複数の結合の割り当てと、レガシー移動局への単一のＵＳＦ値の割り当てとを含む、要求移動局へのリソースの割り当てを行う。
【００４９】
本動作で形成されうる割り当ての例及び解釈テーブルについて、図８を参照して、以下である程度詳細に説明する。
【００５０】
移動局が、割り当てられた下りリンクＰＤＣＨでの割り当てられたＵＳＦ値の受信（即ち、下りリンク無線ブロックでの割り当てられたＵＳＦ値の受信）に応じて、次の無線ブロック期間における対応するＰＤＣＨでの送信（即ち、対応する上りリンク無線ブロックでの送信）を許可されるという、単一のＵＳＦ値についての従来の処理における基本概念が思い出されうる。
【００５１】
あるいは、本明細書の実施形態によれば、結合のＵＳＦ値が受信される、２個以上の下りリンク無線ブロックを含む下りリンク無線ブロック・セットが、移動局用の上りリンク無線ブロックを決定してもよい。上りリンク無線ブロックは、下りリンク無線ブロック・セットの全体に対応しうるが、そのサブセットのみを使用可能でもある。例えば、２個の上りリンク無線ブロックが、グループ８０４の移動局によって使用される、以下で説明する図８のテーブルを参照されたい。
【００５２】
更に、移動局１２０に割り当てられたＵＳＦ値の結合について移動局１２０に通知するために、対応する無線ブロックのいずれ（全てまたはサブセット）をテーブルに従って使用すべきかに関する情報も、移動局１２０に伝えられる。これは、以下の動作によって対処される。
【００５３】
動作７０３
ＧＳＭネットワーク１００は、基地局１１０を通じて移動局１２０に、ジョイント解釈用のＵＳＦ値の、移動局１２０に割り当てられた結合（即ち、Ｅ−ＵＳＦ）と、割り当てられたＥ−ＵＳＦが送信される下りリンク無線ブロックのセットまたは複数のセットとについて通知する。
【００５４】
割り当てられたＥ−ＵＳＦの移動局１２０へのシグナリング、または概して、割り当てられたＥ−ＵＳＦの、それをサポートしている移動局へのシグナリングは、例えば、3GPP TS 44.060、11.2.29節（PACKET UPLINK ASSIGNMENT）、3GPP TS 44.060、11.2.29a節（MULTIPLE TBF UPLINK ASSIGNMENT）、3GPP TS 44.060、11.2.31節（PACKET TIMESLOT RECONFIGURE）、3GPP TS 44.060、11.2.31a節（MULTIPLE TBF TIMESLOT RECONFIGURE）、3GPP TS 44.060、11.2.43節（PS HANDOVER COMMAND）、3GPP TS 44.018、10.5.2.16節（PACKET UPLINK ASSIGNMENT）、及び3GPP TS 44.018、10.5.2.25c節（RR PACKET UPLINK ASSIGNMENT）のうちの１つ以上を通じて達成されうる。
【００５５】
そのようなメッセージはそれぞれ、ここではUSF_EXTと表記される少なくとも１つの追加のＵＳＦ値を含むように更新されうる。USF_EXTは、好ましくは、レガシーＵＳＦの符号化に続く（即ち、従来のＵＳＦ値の符号化に続く）３ビット・フィールドである。
【００５６】
移動局１２０に上りリンク無線ブロックのサブセットを使用するよう要求できるように、Ｅ−ＵＳＦのＵＳＦ値が送信される下りリンク無線ブロックに対応して、そのようなメッセージはそれぞれ、ここではUSF_ALLOCと表記される上りリンク割り当てパターンを記述してもよい。
【００５７】
いくつかの移動局にＵＳＦ値の２個以上の結合（即ち、２個以上のＥ−ＵＳＦ）が割り当てられる、図８に関連して以下で説明する理由により、（USF，USF_EXT，USF_ALLOC）の複数のインスタンスが、スケジューリングの柔軟性を増加させるために１つの移動局に送信されてもよい。
【００５８】
区別されるべき２つのケース、即ち、上りリンク一時ブロックフロー（ＴＢＦ：Temporary Block Flow）用に単一の上りリンク・タイムスロットが移動局１２０に割り当てられる場合と、
上りリンクＴＢＦ用に複数のタイムスロットが移動局１２０に割り当てられる場合と、が存在する。
【００５９】
複数のタイムスロットの割り当ての場合、移動局には、１つのＰＤＣＨの連続する複数の無線ブロックにおけるＵＳＦ値の結合のときは、割り当てられたタイムスロットごとにＵＳＦ値の結合が提供され、または、並列のＰＤＣＨにおけるＵＳＦ値の結合のときは、タイムスロット対（time slot couple）が割り当てられる。これら２つのケースについて、以下で更に詳細に説明する。
【００６０】
USF_ALLOCは、好ましくは、上りリンクの送信機会に関して、Ｅ−ＵＳＦの（１つのレガシーＵＳＦ値、及び１つのUSF_EXT値のような）ＵＳＦ値の結合を解釈するために移動局によって使用される２ビット・フィールドであり、ここで、２ビットは以下のように解釈されうる。
0 0：移動局１２０には、より低い番号のタイムスロットで上りリンクの送信機会が割り当てられている。
0 1：移動局１２０には、より高い番号のタイムスロットで上りリンクの送信機会が割り当てられている。
1 0：移動局１２０には、両方のタイムスロットで上りリンクの送信機会が割り当てられる。
1 1：割り当てられた（複数の）タイムスロットでの［USF，UST_EXT］の受信が、割り当てられた低いタイムスロットでの上りリンク送信機会を割り当てる一方、結合［UST_EXT，USF］の受信が、割り当てられた高いタイムスロットでの上りリンク送信機会を割り当てることを、移動局１２０に知らせる。
【００６１】
あるいは、USF_ALLOCフィールド値「1 1」は、以下の解釈を有しうる。
1 1：割り当てられた（複数の）タイムスロットでの［USF，UST_EXT］の受信が、割り当てられた低いタイムスロットでの上りリンク送信機会を割り当てる一方、結合［UST_EXT，USF］の受信が、両方のタイムスロットでの上りリンク送信機会を割り当てることを、移動局１２０に知らせる。
【００６２】
上記の例にあるような、より高い番号のタイムスロット及びより低い番号のタイムスロットに言及することは、同一の無線ブロック期間内の並列のＰＤＣＨ（異なる複数のタイムスロット）で、結合のＵＳＦ値が送信される場合に言及するものと解釈されうる。しかし、理解されるように、基本的な原理は、連続する２個の無線ブロック期間の同一のＰＤＣＨ（タイムスロット）で結合のＵＳＦ値が送信される場合と同一でもある。本例にあるような、より低いタイムスロットの無線ブロック及びより高いタイムスロットの無線ブロックに代えて使用されうる、より一般的な表記は、それぞれ、第１の無線ブロック及び第２の無線ブロックである。
【００６３】
割り当てられたＥ−ＵＳＦのシグナリング用の上述のメッセージの一部は、単一の上りリンク・タイムスロットの場合にのみ適しており、その他は、複数の上りリンク・タイムスロットの場合にも使用されうる。3GPP TS 44.018、10.5.2.16節の「PACKET UPLINK ASSIGNMENT」メッセージは、単一のタイムスロットの割り当てに限定され、それ故に、連続する無線ブロック期間における２個の無線ブロック内の、結合された２個のＵＳＦから成る結合として移動局１２０によって受信されるＥ−ＵＳＦの割り当てに限定される。このメッセージをどのように、もう１つのＵＳＦ値を含むように変更しうるのかについてのより詳細な例は、本明細書の最後にある、以下の「詳細例３」で与えられる。
【００６４】
同様の変更は、他のメッセージが使用される場合に当該他のメッセージにも導入されうる。例えば、3GPP TS 44.060、11.2.29節の「PACKET UPLINK ASSIGNMENT」メッセージでは、
ＵＳＦ値は、以下に従って、割り当てられたＰＤＣＨ（タイムスロット）のみについてのＵＳＦの送信を知らせるための、ＵＳＦごとのスイッチ（0｜1）を用いて、基本的にはタイムスロット０〜７からリストされる。
｛0｜1 ＜ USF_TN0：bit (3) ＞｝
｛0｜1 ＜ USF_TN1：bit (3) ＞｝
｛0｜1 ＜ USF_TN2：bit (3) ＞｝
｛0｜1 ＜ USF_TN3：bit (3) ＞｝
｛0｜1 ＜ USF_TN4：bit (3) ＞｝
｛0｜1 ＜ USF_TN5：bit (3) ＞｝
｛0｜1 ＜ USF_TN6：bit (3) ＞｝
｛0｜1 ＜ USF_TN7：bit (3) ＞｝
【００６５】
例えば、移動局１２０に、タイムスロット１でＵＳＦ＝１（001）が割り当てられ、タイムスロット２でＵＳＦ＝２（010）が割り当てられる場合、ＵＳＦを含むメッセージの一部は、以下のようになる。
0
1 001
1 010
0
0
0
0
0
【００６６】
これは、（並列の）ＰＤＣＨ（タイムスロット）１及び２でそれぞれＵＳＦ値１及び２の結合が割り当てられているものと、移動局１２０によって解釈されうる。
【００６７】
動作７０４
移動局１２０は、動作７０３においてどの移動局１２０が何を割り当てられ、何について通知を受けたのかに従って、１つ以上のＰＤＣＨ（即ち、タイムスロット）で割り当てられた結合に含まれる複数のＵＳＦ値について、リッスンを行う。あるいは、言い換えれば、移動局１２０は、割り当てられたＵＳＦ値の結合（Ｅ−ＵＳＦ）が送信される下りリンク無線ブロックのセットまたは複数のセットで、リッスンを行う。
【００６８】
動作７０５
ＧＳＭネットワーク１００は、基地局１１０によって、下りリンク無線ブロックでＵＳＦ値の結合を移動局１２０に送信する。ＵＳＦ値の結合と下りリンク無線ブロックとが、移動局１２０に割り当てられているものと一致すると、これにより、上りリンクリソースが割り当てられていること、及び次の無線ブロック期間における送信を移動局１２０が許可されていることを、移動局１２０に対してシグナリングする。これは、従来の状況として背景で説明した状況に類似しているが、ここでは、レガシー移動局がリッスンを行う単一のＵＳＦ値に代えて移動局１２０がリッスンを行う、割り当てられたＵＳＦ値の結合（Ｅ−ＵＳＦ）によって、シグナリングされる。または、言い換えれば、移動局は、割り当てられたＵＳＦ値の結合（Ｅ−ＵＳＦ）を、２個以上の下りリンク無線ブロックから成るセットで受信する。どのように無線ブロックが送信されうるのかについては、移動局がそれに応答して上りリンクでパケットデータをどのように送信するのかを決定するものでもあり、図９〜図１３に関連して、以下でより詳細に説明する。
【００６９】
動作７０６
移動局１２０は、ＵＳＦ値の結合を受信した後、受信した複数のＵＳＦ値を一緒に解釈する。
【００７０】
動作７０７
割り当てられたＵＳＦ値の結合が受信された場合、移動局１２０は、対応する上りリンク無線ブロックで、またはそれらのサブセット（即ち、割り当てられたＵＳＦ値の結合が受信された下りリンク無線ブロックに対応する上りリンク無線ブロックまたは当該上りリンク無線ブロックのサブセット）で、パケットデータを送信する。このため、これは、割り当てられたＵＳＦ値の結合（Ｅ−ＵＳＦ）に対応する、受信されたＵＳＦ値に応答している。上述のように、上りリンクリソースは、概して、ＵＳＦ値の結合が受信された（動作７０５を参照）下りリンク無線ブロックに対応する上りリンク無線ブロックである。動作７０３で既に上記で説明したように、移動局は、対応する上りリンク無線ブロックのいずれを使用すべきか（上りリンク無線ブロックの全てかまたはサブセットか）に関して（USF_ALLOCを通じて）何らかの情報を受信していてもよい。言い換えれば、パケットデータは、対応する複数の上りリンク無線ブロックの全てまたはサブセットのみで、送信される。
【００７１】
更に、これまでにも説明もしたように、２つの主な場合、即ち、同一の２０ミリ秒の無線ブロック期間中の異なる複数のタイムスロットの２個以上のＰＤＣＨで、または、同一のＰＤＣＨ（即ち、同一のタイムスロット番号）の２個以上の連続する無線ブロックで、下りリンク無線ブロックがどのように送信されうるのか及びその結果として対応する上りリンク無線ブロックがどのように送信されうるのかについての、２つの主な場合が存在する。いくつかの実施形態では、２つのケースは、組み合わされて同時に使用されてもよい。当該２つのケースについては、図９〜図１３に関連して、以下である程度詳細に説明する。
【００７２】
動作７０２で上述したように、動作７０２で形成されうる割り当て及び解釈テーブルの一例について、図８に示されるテーブルを参照して、以下で説明する。
【００７３】
当該テーブルは、２個のＵＳＦ値から成る結合をＥ−ＵＳＦが含む状況でＧＳＭネットワーク１００によって保存されうるフルＵＳＦ結合マッピングの一例を示している。他の実施形態では、３つ以上のＵＳＦ値が、それぞれの結合を形成してもよい。基本的には、結合のＵＳＦ値を移動局に送信する２つの方法が存在し、即ち、同一の無線ブロック期間内の並列のＰＤＣＨ（異なる複数のタイムスロット）で送信するか、２個の連続する無線ブロック期間の同一のＰＤＣＨ（タイムスロット）で送信するか、である。これについて、以下では、動作７０７で更に詳細に説明及び例示する。図８に示されるマッピングは、並列のＰＤＣＨを使用するケースについてのものであり、それ故に、第１及び第２の無線ブロックは、第１及び第２のタイムスロット（ＰＤＣＨ）に相当する。原理は同一ではあるが、以下の動作７０７に関連して説明している理由により、少なくともレガシー移動局が存在する場合には、結合マッピングは、連続した無線ブロックでＵＳＦ値の結合が送信されるのに備えて適合される必要がありうる。
【００７４】
当然ながら、移動局１２０を含む、それぞれの個別の移動局は、当該移動局に割り当てられた（複数の）ＵＳＦ結合に関する情報を保存するだけでよい。（ＧＳＭネットワーク１００が、割り当てられたＵＳＦ結合を移動局１２０にどのようにシグナリングしうるのかについては、動作７０３以下で説明している。）
【００７５】
テーブルの各行は、２個のタイムスロットのうちの第１のタイムスロットで送信される、結合の（０から７の番号が付された）第１のＵＳＦ値に対応し、各列は、（同様に０から７の番号が付された）第２のタイムスロットで送信される、当該結合の第２のＵＳＦ値に対応する。当該テーブルは、ＵＳＦ結合ごとに、第１及び第２の対応する上りリンク・タイムスロットのそれぞれでの送信が許可された移動局を識別する、２個のテーブル・セルを有する。Ｅ−ＵＳＦをサポートしていないレガシー移動局は、Ｌ０，Ｌ１，Ｌ２及びＬ３と表記されている。本明細書の実施形態に係るＥ−ＵＳＦをサポートしている移動局は、Ｎ０、Ｎ１，...，Ｎ５９と表記されている。移動局１２０は、これらの移動局のいずれか１つに対応しうる。例えば、ＵＳＦ結合（３，３）によって、移動局Ｎ１４に、第１の上りリンク・タイムスロットでの送信が許可されるとともに、移動局Ｎ１５に、第２の上りリンク・タイムスロットでの送信が許可される。
【００７６】
図８では、可読性を高くするために、種々のタイプのＵＳＦ割り当てに印をつけられている。
【００７７】
８０１と示されたグループは、レガシー移動局を含む。これらの移動局は、他のタイムスロットのＵＳＦを考慮することなく、受信したＵＳＦを別々に読み取って解釈する。例えば、移動局Ｌ１には、タイムスロット２のＵＳＦ値０が割り当てられている。その結果、テーブル内の、このＵＳＦ値に対応する各セルは、移動局Ｌ１が、第１のタイムスロットのＵＳＦ値にかかわらず、第２の上りリンク・タイムスロットでの送信を許可されていることを示す。
【００７８】
８０２と示されたグループは、Ｅ−ＵＳＦをサポートしており、かつ、十分な柔軟性のために３つの異なるＵＳＦ結合が割り当てられている移動局を示している。例えば、移動局Ｎ０は、ＵＳＦ結合（２，０）を受信した場合には、第１のタイムスロットでの送信を許可され、ＵＳＦ結合（０，２）を受信した場合には、第２のタイムスロットでの送信を許可され、ＵＳＦ結合（２，２）を受信した場合には、両方のタイムスロットでの送信を許可される。
【００７９】
８０３と示されたグループは、Ｅ−ＵＳＦをサポートしており、かつ、２個の異なるＵＳＦ結合が割り当てられている移動局を示している。これらの移動局は、第１のタイムスロットか、または第２のタイムスロットで送信するようスケジュールされうるが、その両方はない。例えば、移動局Ｎ６は、ＵＳＦ結合（２，１）の場合には第１のタイムスロットで送信し、ＵＳＦ結合（１，２）の場合には第２のタイムスロットで送信する。
【００８０】
８０４と示されたグループは、Ｅ−ＵＳＦをサポートしており、かつ、１つの上りリンク・タイムスロットでの送信を許可する１つのＵＳＦ結合が割り当てられている移動局を示している。例えば、移動局Ｎ１２は、ＵＳＦ結合（３，２）を受信すると、第１の上りリンク・タイムスロットで送信する。同一のＵＳＦ結合は、移動局Ｎ１３に対して第２の上りリンク・タイムスロットでの送信を同様に許可する。
【００８１】
８０５と示されたグループは、Ｅ−ＵＳＦをサポートしており、かつ、２個の上りリンク・タイムスロットでの送信を許可する１つのＵＳＦ結合が割り当てられている移動局を示している。例えば、移動局Ｎ４８は、ＵＳＦ結合（６，２）を受信すると、両方の上りリンク・タイムスロットで送信する。
【００８２】
したがって、本テーブルは、（単一の）ＵＳＦ値のレガシー移動局への割り当てと、複数のＵＳＦ値から成る結合の、本明細書の実施形態に係るＥ−ＵＳＦをサポートしている移動局への割り当てとが調整される例を示している。当該調整は、複数のＵＳＦ値を含む、ＵＳＦ値の結合が、レガシー移動局にも割り当てられるように実行されている。これにより、レガシー方式のみをサポートしているレガシー移動局と多重化することが可能になり、また、上りリンクにおける衝突も避けられる。
【００８３】
上記で示した図６は、一例として、図８のテーブルに含まれる複数の移動局のうちの一部を示している。
【００８４】
図８の例のテーブルでは、全部で６４個の移動局（本明細書の実施形態に係る、結合された複数のＵＳＦ値のジョイント解釈をサポートしている６０個の移動局、及び４個のレガシー移動局）が２個のタイムスロットに多重化されている。レガシー動的割り当て方式を用いると、多重化できるのは１６個の移動局（１タイムスロットごとに８個）のみである。
【００８５】
テーブル内には８＊８＊２＝１２８個のテーブル・セルが存在するため、レガシー移動局が存在しない場合、Ｅ−ＵＳＦをサポートしている最大１２８個の移動局を２個のタイムスロットに多重化することができる。レガシー移動局が存在するごとに、この数字は８減少する。
別の例：並列の下りリンク・タイムスロットの３個のＵＳＦ値が結合された場合、レガシー移動局が存在しないときには、最大で８＊８＊８＊３＝１５３６個の移動局が、対応する下りリンク・タイムスロットを共有可能である。各レガシー移動局は、この数字を６４減少させる。
【００８６】
図９には、動的割り当て（ＤＡ）に対応する状況で、同一の無線ブロック期間内の並列のＰＤＣＨにおける２個のＵＳＦ値が結合されるケースが示されている。この例では、タイムスロット２及び３のＵＳＦ値が結合されており、即ち、一緒に解釈される。上記の動作３０７に対応するＴＢＦ割り当てを行う間、ＧＳＭネットワーク１００は、タイムスロット２及び３のＰＤＣＨを割り当てられた移動局ＭＳ Ａ及びＭＳ Ｂに、その情報をシグナリングしている。移動局ＭＳ Ａ及びＭＳ Ｂのうちのいずれか１つは、移動局１２０に対応する。ＧＳＭネットワーク１００は、更に、１つ以上のＵＳＦ結合（Ｅ−ＵＳＦ）をこれらの移動局に割り当てている。示した例では、両方の移動局ＭＳ Ａ及びＭＳ Ｂには、タイムスロット２及び３で同一のＥ−ＵＳＦを割り当てられている。割り当てられたＵＳＦ結合ごとに、ＧＳＭネットワークは、その解釈を決定、即ち、対応する上りリンク・タイムスロット（本例では、タイムスロット２及び３）のうちのいずれで各移動局が送信を許可されるのかについて決定する。この情報も、ＴＢＳ割り当ての間に移動局ＭＳ Ａ，ＭＳ Ｂに対してシグナリングされる（例えば、上記の動作７０３で説明したUSF_ALLOCを参照）。
【００８７】
移動局ＭＳ Ａ，ＭＳ Ｂは、ＵＳＦ値を読み取って、それらを一緒に解釈する（上記の動作７０６に対応）。移動局は、当該移動局に割り当てられているＵＳＦ結合を受信すると、それまでに受信した解釈に従った（複数の）上りリンク・タイムスロットで無線ブロックを送信する。示した例では、移動局ＭＳ Ａは、より低い対応する上りリンク・タイムスロット（タイムスロット２）での送信を許可され、移動局ＭＳ Ｂは、より高い対応する上りリンク・タイムスロット（タイムスロット３）での送信を許可される。
【００８８】
図１０には、拡張動的割り当て（ＥＤＡ）に対応する状況で、並列のタイムスロットにおける２個のＵＳＦが結合されるケースの別の変形が示されている。この例では、タイムスロット２及び３のＵＳＦ値が結合され、即ち、当該ＵＳＦ値はＥ−ＵＳＦを形成している。移動局ＭＳ Ａ，ＭＳ Ｂには、４個の上りリンク・タイムスロット２，３，４及び５が割り当てられている。ＤＡ用のソリューションの、ＥＤＡのケースへの拡張は、単純である。図１０に示すように、移動局は、当該移動局に割り当てられたＵＳＦ値の結合を受信すると、ＤＡのケースと同様に、対応する上りリンク・タイムスロットでの送信を許可されるだけでなく、より高い番号の上りリンク・タイムスロットのペア（通常は、グループ）での送信も許可される。レガシー、即ち、従来のＥＤＡ動作への変更は、移動局が、割り当てられたＵＳＦ値の結合を読み取るために、２個以上の対応する下りリンク・タイムスロットをモニタリングしなければならないことである。
【００８９】
レガシー移動局は上りリンク・タイムスロット・ペア（グループ）を考慮せず、個別の上りリンク・タイムスロットを考慮するため、このケースでは、レガシー移動局について特別の検討が必要となりうる。したがって、図８に関連して上述したような、ＵＳＦ結合の解釈テーブルは、（即ち、ＵＳＦ値のジョイント解釈をそのようにサポートしている）新たな移動局と、レガシー移動局とが、ＵＳＦ値の特定の結合に対応するテーブル・セルにおいて混ぜ合わされないように、定義されなければならない。それに加えて、ＥＤＡの、通常のＵＳＦスケジューリング原理は、レガシー移動局間の衝突を回避するように追従しなければならない。
【００９０】
ＵＳＦ値の結合を使用するＥＤＡの代替的な解釈は、図１１に示すように、現在の実装と同様、ＵＳＦ値の結合によってスケジューリングされた移動局のうちの１つのみに対し、ＴＤＭＡフレーム内のより高いタイムスロット番号を有するＰＤＣＨでの送信を許可することである。このアプローチを使用すると、移動局ＭＳ Ａが、レガシー移動局であるか、またはＥ−ＵＳＦをサポートしている移動局であるとともに、より高いタイムスロット番号で送信する移動局（ここでは移動局ＭＳ Ｂ）はレガシー移動局であってもよい。
【００９１】
図１２には、ジョイント解釈のために、連続する複数の無線ブロックの２個のＵＳＦ値が結合されるケースが示されている。この例では、タイムスロット２における、無線ブロック期間Ｎ及びＮ＋１のＵＳＦ値が結合され、即ち、当該ＵＳＦ値はＥ−ＵＳＦを形成している。基本的な原理及びソリューションは、概して、同一の無線ブロック期間内の並列のＰＤＣＨのケースと同様である。主な相違点は、同一の無線ブロック期間内の異なるタイムスロットのＵＳＦ値ではなく、１つのタイムスロットにおける、２個（以上）の連続する無線ブロックで送信されるＵＳＦ値が、一緒に解釈されることである。これらの無線ブロックにおけるＵＳＦ値の結合によって、対応するタイムスロットにおける割り当てられた上りリンク無線ブロックでの送信が移動局に許可される。ＵＳＦ値の結合が解釈可能になる前に２個の連続する無線ブロックを移動局が読み取る必要があるため、ＵＳＦ値の送信から上りリンク無線ブロックの送信までの遅延は、このケースでは１無線ブロック期間ではなく２無線ブロック期間となる。
【００９２】
ＵＳＦ結合解釈テーブルは、図８に関連して上記で説明したテーブルと同様であるが、Ｅ−ＵＳＦをサポートしている移動局については遅延が２個の無線ブロック期間、レガシー移動局については遅延が１個の無線ブロック期間であるという事実に、特別な検討が必要である。図１３には、この状況が示されている。なお、下りリンク無線ブロックＮのＵＳＦ値がレガシー移動局に割り当てられると、当該ＵＳＦ値によって、ジョイント解釈用の結合ＵＳＦ値（Ｅ−ＵＳＦ）が使用される場合に下りリンク無線ブロック期間（Ｎ−２，Ｎ−１）のＵＳＦ値によってスケジューリングされる、上りリンク無線ブロックＮ＋１での送信が許可される。提案するソリューションは、以下のとおりである（図面に従った無線ブロック期間番号を使用）。
【００９３】
レガシー移動局に割り当てられたＵＳＦ値が（２個の結合された連続する無線ブロックのうちの１番目の無線ブロックである）無線ブロック期間Ｎに送信された場合、無線ブロック期間Ｎ−２及びＮ−１に送信されたＵＳＦ結合（以前のＵＳＦ対）によって、上りリンク無線ブロック期間Ｎ＋１の期間中、Ｅ−ＵＳＦをサポートしている移動局に送信が許可されることはない。その結果として、（上りリンク無線ブロック期間Ｎ＋１に対応する）ＵＳＦ結合解釈テーブルにおける一部のセルは、空のままとなる。
【００９４】
ＧＳＭネットワーク１００における１つの上りリンクＰＤＣＨを、９個以上の移動局によって共有することを可能にするための、移動局１２０における方法に関連する、本明細書の実施形態について、以下で更に詳細に述べるとともに、図１４に示すフローチャートを参照して説明する。上述のように、移動局１２０は、ＧＳＭネットワーク１００に含まれており、ＧＳＭネットワーク１００は、同様にＧＳＭネットワーク１００に含まれる基地局１１０を通じて、移動局１２０と通信する。基地局１１０は、典型的には、同様にＧＳＭネットワーク１００に含まれる、図示されてない基地局制御装置（ＢＳＣ）によって、少なくとも部分的に制御される。本方法は、任意の適切な順序で行われうる以下の動作を含む。
【００９５】
動作１４０１では、移動局１２０は、複数のＵＳＦ値から成る結合を、２個以上の下りリンク無線ブロックから成るセットで受信する。この動作は、前述の動作７０５に、完全にまたは部分的に対応しうる。
【００９６】
動作１４０２では、移動局１２０は、当該結合に含まれる、受信された複数のＵＳＦ値を一緒に解釈する。この動作は、前述の動作７０６に、完全にまたは部分的に対応しうる。
【００９７】
動作１４０３では、移動局１２０は、ＵＳＦ値の、割り当てられている結合が受信された場合にのみ、パケットデータを送信する。この動作は、前述の動作７０７に、完全にまたは部分的に対応しうる。
【００９８】
複数の下りリンクの無線ブロックから成るセットは、予め定義されていてもよい。
【００９９】
複数の下りリンクの無線ブロックから成るセットは、更に、
‐同一の２０ミリ秒無線ブロック期間中の時分割多元接続（ＴＤＭＡ）フレームにおける、異なる複数のタイムスロットの２個以上のパケットデータチャネル（ＰＤＣＨ）と、
‐同一のＰＤＣＨの２個以上の連続する無線ブロックと、
のうちの１つまたは組み合わせで受信されてもよい。いくつかの実施形態では、パケットデータは、対応する複数の無線ブロックの全てまたはサブセットのみで送信される。
【０１００】
いくつかの実施形態では、移動局１２０には、ＵＳＦ値の、割り当てられた２個以上の結合が割り当てられており、それにより、対応する複数の上りリンク無線ブロックについての異なる複数のサブセットでの送信が移動局１２０に許可される。
【０１０１】
ＧＳＭネットワーク１００における１つの上りリンク・パケットデータチャネルを、９個以上の移動局によって共有することを可能にするための、上記の動作を実行すべく、移動局１２０は、図１５に概略的に示される構成を備えうる。移動局１２０は、ＧＳＭネットワーク１００に含まれており、ＧＳＭネットワーク１００は、同様にＧＳＭネットワーク１００に含まれる基地局１１０を通じて、移動局１２０と通信する。基地局１１０は、典型的には、同様にＧＳＭネットワーク１００に含まれる、図示されてない基地局制御装置（ＢＳＣ）によって、少なくとも部分的に制御される。
【０１０２】
移動局１２０は、複数のＵＳＦ値から成る結合を、２個以上の下りリンク無線ブロックから成るセットで受信するよう構成される。移動局１２０は、複数のＵＳＦ値から成る結合を、２個以上の下りリンク無線ブロックから成るセットで受信するよう構成された受信ポート１５１０を備えうる。移動局１２０は、当該結合に含まれる、受信された複数のＵＳＦ値を一緒に解釈するよう更に構成される。基地局１２０は、当該結合に含まれる、受信された当該複数のＵＳＦ値を一緒に解釈するよう構成された解釈回路１５３０を備えうる。また、移動局１２０は、ＵＳＦ値の、割り当てられている結合が受信された場合にのみ、パケットデータを送信するよう構成される。移動局１２０は、ＵＳＦ値の、割り当てられている結合が受信された場合にのみ、パケットデータを送信するよう構成された送信ポート１５２０を更に備えうる。
【０１０３】
複数の下りリンクの無線ブロックから成るセットは、予め定義されていてもよい。
【０１０４】
移動局１２０、または移動局１２０の受信ポート１５１０は、
‐同一の２０ミリ秒無線ブロック期間中のＴＤＭＡフレームにおける、異なる複数のタイムスロットの２個以上のパケットデータチャネルと、
‐同一のパケットデータチャネルの２個以上の連続する無線ブロックと、
のうちの１つまたは組み合わせで、下りリンク無線ブロックの予め定義されたセットを受信するよう、更に構成されてもよい。
【０１０５】
いくつかの実施形態では、移動局１２０、または移動局１２０の送信ポート１５２０は、対応する複数の無線ブロックの全てまたはサブセットのみで、パケットデータを送信するよう、更に構成される。
【０１０６】
いくつかの実施形態では、移動局１２０には、ＵＳＦ値の、割り当てられた２個以上の結合が割り当てられており、それにより、対応する複数の上りリンク無線ブロックについての異なる複数のサブセットでの送信が移動局１２０に許可される。
【０１０７】
移動局１２０の実施形態は、本明細書の実施形態に含まれる機能及び動作を実行するためのコンピュータ・プログラム・コードとともに、図１５に示す移動局１２０内のプロセッサ１５４０のような、１個以上のプロセッサを通じて、実装されうる。
【０１０８】
上述のプログラム・コードは、更に、例えば、移動局１２０にロードされた場合に本明細書の実施形態を実行するためのコンピュータ・プログラムを保持するデータ担体の形式で、コンピュータ・プログラムとして提供されうる。そのような担体の１つは、ＣＤ−ＲＯＭディスクの形式であってもよい。しかし、メモリースティックまたはメモリーカードのような他のデータ担体によっても実現可能である。コンピュータ・プログラム・コードは、更に、サーバ上の純粋なプログラム・コード、及びサーバからダウンロード可能なプログラム・コードとして提供されてもよい。
【０１０９】
移動局１２０は、更に、１つ以上のメモリユニットを備えるメモリ１５５０を備えていてもよい。メモリ１５５０は、データ、ＧＳＭネットワーク１００内の他のノードへの連絡先情報、設定、及び移動局１２０で実行された場合に本明細書の方法を実行するためのアプリケーションを保存するために使用されるよう構成されてもよい。
【０１１０】
当業者であれば、上述した受信ポート１５１０、送信ポート１５２０、及び解釈回路１５３０が、アナログ回路及びデジタル回路の組み合わせと、プロセッサ１５４０のような１個以上のプロセッサによって実行された場合に上述したように実行する、（例えば、メモリに保存されている）ソフトウェア及びファームウェアの少なくともいずれかを用いて設定された１個以上のプロセッサと、のうちの少なくとも１つを示しうることを、理解するであろう。これらのプロセッサの１個以上は、他のデジタル・ハードウェアと同様、単一の特定用途向け集積回路（ＡＳＩＣ）に含まれていてもよく、あるいは、複数のプロセッサ及び種々のデジタル・ハードウェアは、個別にパッケージ化されるか、システム・オン・チップ（ＳｏＣ）に組み立てられるかで、複数の個別の構成要素間で分散されていてもよい。
【０１１１】
ＧＳＭネットワーク１００における１つの上りリンクＰＤＣＨを、９個以上の移動局によって共有することを可能にするための、ＧＳＭネットワーク１００における方法に関連する、本明細書の実施形態について、以下で更に詳細に述べるとともに、図１６に示すフローチャートを参照して説明する。上述のように、移動局１２０は、ＧＳＭネットワーク１００に含まれており、ＧＳＭネットワーク１００は、同様にＧＳＭネットワーク１００に含まれる基地局１１０を通じて、移動局１２０と通信する。基地局１１０は、典型的には、同様にＧＳＭネットワーク１００に含まれる、図示されてない基地局制御装置（ＢＳＣ）（図示せず）、少なくとも部分的に制御される。本方法は、任意の適切な順序で行われうる以下の動作を含む。
【０１１２】
本明細書の実施形態についてのオプションの動作である、動作１６０１では、ＧＳＭネットワーク１００、典型的には当該ネットワークのＢＳＣは、結合された複数のＵＳＦ値のジョイント解釈をサポートしていない移動局に対しても複数のＵＳＦ値から成る結合が割り当てられるよう、レガシー移動局１２１−１，１２１−２のような、結合された複数のＵＳＦ値のジョイント解釈をサポートしていない移動局に対するＵＳＦ値の割り当てを、移動局１２０及び移動局１２０−１，１２０−２のような、結合された複数のＵＳＦ値のジョイント解釈をサポートしている移動局と調整する。
【０１１３】
この動作は、前述の動作７０２に部分的に対応しうる。
【０１１４】
動作１６０２では、ＧＳＭネットワーク１００、典型的には当該ネットワークの基地局１１０は、移動局１２０によって一緒に解釈されるべき複数のＵＳＦ値から成る結合を、２個以上の下りリンク無線ブロックから成るセットで移動局１２０に送信する。
【０１１５】
この動作は、前述の動作７０５に、完全にまたは部分的に対応しうる。
【０１１６】
動作１６０３では、ＧＳＭネットワーク１００、典型的には当該ネットワークの基地局１１０は、移動局１２０が、結合に含まれる、送信された複数のＵＳＦ値を受信して一緒に解釈し、かつ、ＵＳＦ値の、割り当てられた結合が受信された場合にのみパケットデータを送信したことに応じて、移動局１２０から当該パケットデータを受信する。
【０１１７】
この動作は、前述の動作７０７に、完全にまたは部分的に対応しうる。
【０１１８】
複数の下りリンクの無線ブロックから成るセットは、予め定義されていてもよい。
【０１１９】
複数の下りリンクの無線ブロックから成るセットは、
‐同一の２０ミリ秒無線ブロック期間中のＴＤＭＡフレームにおける、異なる複数のタイムスロットの２個以上のＰＤＣＨと、
‐同一のＰＤＣＨの２個以上の連続する無線ブロックと、
のうちの１つまたは組み合わせで、移動局１２０に対して送信されてもよい。
【０１２０】
いくつかの実施形態では、パケットデータは、対応する複数の無線ブロックの全てまたはサブセットのみで受信される。
【０１２１】
いくつかの実施形態では、ＧＳＭネットワーク１００、典型的には当該ネットワークの基地局１１０は、ＵＳＦ値の、割り当てられた２個以上の結合を移動局１２０に送信し、それにより、対応する複数の上りリンク無線ブロックについての異なる複数のサブセットでの送信が移動局１２０に許可される。
【０１２２】
ＧＳＭネットワーク１００における１つの上りリンク・パケットデータチャネルを、９個以上の移動局によって共有することを可能にするための、上記の動作を実行すべく、ＧＳＭネットワーク１００のノードまたはエンティティ、典型的には基地局１１０は、図１７に概略的に示される構成を備えうる。移動局１２０は、ＧＳＭネットワーク１００に含まれており、ＧＳＭネットワーク１００は、同様にＧＳＭネットワーク１００に含まれる基地局１１０を通じて、移動局１２０と通信する。基地局１１０は、典型的には、同様にＧＳＭネットワーク１００に含まれる、図示されてない基地局制御装置（ＢＳＣ）（図示せず）によって、少なくとも部分的に制御される。
【０１２３】
ＧＳＭネットワーク１００、典型的には基地局１１０の送信ポート１７１０は、移動局１２０によって一緒に解釈されるべき複数のＵＳＦ値から成る結合を、２個以上の下りリンク無線ブロックから成るセットで移動局１２０に送信するよう構成される。ＧＳＭネットワーク１００、典型的には基地局１１０の受信ポート１７２０は、移動局１２０が、結合に含まれる、送信された複数のＵＳＦ値を受信して一緒に解釈し、かつ、ＵＳＦ値の、割り当てられた結合が受信された場合にのみパケットデータを送信したことに応じて、移動局１２０から当該パケットデータを受信するよう更に構成される。
【０１２４】
複数の下りリンクの無線ブロックから成るセットは、予め定義されていてもよい。
【０１２５】
ＧＳＭネットワーク１００、典型的には基地局１１０の送信ポート１７１０は、
‐同一の２０ミリ秒無線ブロック期間中のＴＤＭＡフレームにおける、異なる複数のタイムスロットの２個以上のパケットデータチャネルと、
‐同一のパケットデータチャネルの２個以上の連続する無線ブロックと、
のうちの１つまたは組み合わせで、下りリンク無線ブロックの予め定義されたセットを移動局１２０に対して送信するよう、更に構成されてもよい。
【０１２６】
いくつかの実施形態では、ＧＳＭネットワーク１００、典型的には基地局１１０の受信ポート１７２０は、対応する複数の無線ブロックの全てまたはサブセットのみで、パケットデータを受信するよう、更に構成される。
【０１２７】
いくつかの実施形態では、ＧＳＭネットワーク１００、典型的には基地局１１０の送信ポート１７１０は、ＵＳＦ値の、割り当てられた２個以上の結合を移動局１２０に送信するよう、更に構成されており、それにより、対応する複数の上りリンク無線ブロックについての異なる複数のサブセットでの送信が移動局１２０に許可される。
【０１２８】
いくつかの実施形態では、図示した例のように、ＧＳＭネットワーク１００、典型的には、基地局１１０のＢＳＣ（図示せず）に含まれる、またはＧＳＭネットワーク１００の基地局１１０に含まれる調整回路１７３０は、結合された複数のＵＳＦ値のジョイント解釈をサポートしていない移動局１２１−１，１２１−２に対しても複数のＵＳＦ値から成る結合が割り当てられるよう、レガシー移動局１２１−１，１２１−２のような、結合された複数のＵＳＦのジョイント解釈をサポートしていない移動局に対する複数のＵＳＦ値の割り当てを、移動局１１０及び移動局１２０−１，１２０−２のような、結合された複数のＵＳＦ値のジョイント解釈をサポートしている移動局と調整するよう、更に構成される。
【０１２９】
ＧＳＭネットワーク１００の実施形態は、本明細書の実施形態に含まれる機能及び動作を実行するためのコンピュータ・プログラム・コードとともに、図１７に示す基地局１１０内のプロセッサ１７４０及びＢＳＣ（図示せず）内の対応するプロセッサの少なくともいずれかのような、１個以上のプロセッサを通じて、実装されうる。
【０１３０】
上述のプログラム・コードは、更に、基地局１１０及びＢＳＣ（図示せず）の少なくともいずれかのような、ＧＳＭネットワーク１００のノードまたはエンティティにロードされた場合に本明細書の実施形態を実行するためのコンピュータ・プログラムを保持するデータ担体の形式で、コンピュータ・プログラムとして提供されうる。そのような担体の１つは、ＣＤ−ＲＯＭディスクの形式であってもよい。しかし、メモリースティックまたはメモリーカードのような他のデータ担体によっても実現可能である。コンピュータ・プログラム・コードは、更に、サーバ上の純粋なプログラム・コード、及びサーバからダウンロード可能なプログラム・コードとして提供されてもよい。
【０１３１】
ＧＳＭネットワーク１００の実施形態は、更に、図１７に示されるような基地局１１０内の１つ以上のメモリユニットを備えるメモリ１７５０と、ＢＳＣ（図示せず）内の対応するメモリとの少なくともいずれかを備えていてもよい。メモリ１７５０は、データ、ＧＳＭネットワーク１００内の他のノードへの連絡先情報、設定、及び基地局１１０で実行された場合に本明細書の方法を実行するためのアプリケーションを保存するために使用されるよう構成されてもよい。
【０１３２】
当業者であれば、上述した送信ポート１７１０、受信ポート１７２０、及び調整回路１７３０が、アナログ回路及びデジタル回路の組み合わせと、プロセッサ１７４０のような１個以上のプロセッサによって実行された場合に上述したように実行する、（例えば、メモリに保存されている）ソフトウェア及びファームウェアの少なくともいずれかを用いて設定された１個以上のプロセッサと、のうちの少なくとも１つを示しうることを、理解するであろう。これらのプロセッサの１個以上は、他のデジタル・ハードウェアと同様、単一の特定用途向け集積回路（ＡＳＩＣ）に含まれていてもよく、あるいは、複数のプロセッサ及び種々のデジタル・ハードウェアは、個別にパッケージ化されるか、システム・オン・チップ（ＳｏＣ）に組み立てられるかで、複数の個別の構成要素間で分散されていてもよい。
【０１３３】
詳細例１
内容については、図７に関連して上述した動作７０１を参照されたい。移動局１２０がＥ−ＵＳＦを処理する（ＵＳＦ値のジョイント解釈）能力をＧＳＭネットワーク１００にシグナリングする方法の１つの例は、3GPP TS 24.008によるMS Radio Access capability Information Element（ＭＳ無線アクセス能力情報エレメント）におけるＥ−ＵＳＦ能力指標を使用することによる。3GPP TS 24.008の図10.5.128a及び3GPP TS 24.008の表10.5.146に係る「MS Radio Access Capability Information Element」を示し、点線の四角によって印が付された、可能性のあるＥ−ＵＳＦ能力（E-USF Capability）シグナリングの付加を示す、図１８によって補足される、「10.5.5.12節 MS Radio Access capability」を参照されたい。
【０１３４】
詳細例２
内容については、図７に関連して上述した動作７０１を参照されたい。移動局１２０がＥ−ＵＳＦを処理する（ＵＳＦ値のジョイント解釈）能力をＧＳＭネットワーク１００にシグナリングできる場合の１つの例は、例えば、１フェーズ・アクセス手順（3GPP TS 44.018を参照）の間に、3GPP TS 44.060 EGPRS PACKET CHANNEL REQUESTメッセージの内容を変更することによって上りリンク用の無線リソースを要求する場合であり、当該内容は、現在使用されていないコード・ポイントのうちの１つを使用することによって変更可能である。なお、このアプローチは、ＲＬＣ／ＭＡＣレイヤにおける拡張された識別子のためのより多くの汎用サポートを知らせる場合にも使用可能である。
【０１３５】
点線の四角で印が付された、可能性のある変更を有する「Table 11.2.5a.1 and .2: EGPRS PACKET CHANNEL REQUEST message content」を示す、図１９によって補足される、3GPP TS 44.060 EGPRS PACKET CHANNEL REQUESTメッセージを参照されたい。例えば、MultislotClass（５ビット・フィールド）及びMultislotClassGroup（３ビット・フィールド）に関する更なる詳細については、「Table 11.2.5a.3: EGPRS PACKET CHANNEL REQUEST message details」を参照されたい。
【０１３６】
詳細例３
内容については、図７に関連して上述した動作７０３を参照されたい。移動局１２０に割り当てられているＵＳＦ値の結合（Ｅ−ＵＳＦ）について移動局１２０に通知しうる方法の１つの例は、3GPP TS 44.018「PACKET UPLINK ASSIGNMENT」を変更することによる。追加ＵＳＦ値（USF_EXT）を追加するための、点線の四角で印が付された、提案する変更を有する3GPP TS 44.018「PACKET UPLINK ASSIGNMENT」メッセージを示す、図２０を参照されたい。当該メッセージは、ＣＣＣＨ（Common Control Channel、共通制御チャネル）で送信されるメッセージIMMEDIATE ASSIGNMENTにおける情報エレメントIA Rest Octets（3GPP TS 44.018、10.5.2.16節）の一部であり、当該メッセージは、更に、ＰＤＣＨ、タイムスロット番号０〜７に関する情報を同様に含む情報エレメントPacket Channel Description（3GPP TS 44.018、10.5.2.25a節）を含む。
【０１３７】
ＧＳＭ標準規格に関連する３ＧＰＰ文書が前述のものを示す場合、２０１０年１２月にリリースされた以下のバージョン、24.008バージョン9.5.0, 44.018バージョン9.7.0, 44.060バージョン9.6.0及び45.002バージョン9.4.0は、関連性がある。
【０１３８】
「含む（comprise）」または「含む（comprising）」という用語を使用する場合、それは非限定的、即ち、「少なくとも〜から成る（consist at least of）」の意味として解釈されるべきである。
【０１３９】
本明細書の実施形態は、上述の好適な実施形態に限定されるものではない。種々の代替、変形及び均等のものが使用されうる。したがって、上記の実施形態は、本発明の範囲を限定するものとみなされるべきではなく、本発明は添付の特許請求の範囲によって規定される。
【図１】
0005900898.tif 000002
【図２】
0005900898.tif 000003
【図３】
0005900898.tif 000004
【図４】
0005900898.tif 000005
【図５】
0005900898.tif 000006
【図６】
0005900898.tif 000007
【図７】
0005900898.tif 000008
【図８】
0005900898.tif 000009
【図９】
0005900898.tif 000010
【図１０】
0005900898.tif 000011
【図１１】
0005900898.tif 000012
【図１２】
0005900898.tif 000013
【図１３】
0005900898.tif 000014
【図１４】
0005900898.tif 000015
【図１５】
0005900898.tif 000016
【図１６】
0005900898.tif 000017
【図１７】
0005900898.tif 000018
【図１８】
0005900898.tif 000019
【図１９】
0005900898.tif 000020
【図２０】
0005900898.tif 000021